(57)【要約】【課題】  従来のカメラに比べて消費電力の少ないカメラ１を提供する。【解決手段】  本発明に係るカメラ１は、レンズ群10、画像記録用ＣＣＤ11、画像表示用ＣＣＤ12、両ＣＣＤ11、12にクロック信号を供給するＴＧ回路17、ミラー18、ミラー18の姿勢を設定する駆動回路19及びＣＰＵ15を具えている。ＣＰＵ15は、画像記録操作がないときには、ミラー18をレンズ群10の通過光を画像表示用ＣＣＤ12に入射させることが可能な姿勢に設定すべき旨を駆動回路19に指令すると共に画像表示用ＣＣＤ12に対し周波数の低いクロック信号を供給すべき旨をＴＧ回路17に指令し、画像記録操作があったときには、ミラー18をレンズ群10の通過光を画像記録用ＣＣＤ11に入射させることが可能な姿勢に設定すべき旨を駆動回路19に指令すると共に画像記録用ＣＣＤ11に対し周波数の高いクロック信号を供給すべき旨をＴＧ回路17に指令する。【選択図】      図１
2005167944.tif 000002
【特許請求の範囲】
【請求項１】
画像表示装置を具え、ユーザによる画像記録操作がないときには撮影によって得られた画像を画像表示装置に表示し、ユーザによる画像記録操作があったときには撮影によって得られた画像を記録媒体に記録するカメラにおいて、
撮影レンズと、
第１クロック信号に基づいて撮像動作を実行する画像記録用撮像装置と、
画像記録用撮像装置よりも画素数が少なく、前記第１クロック信号よりも周波数の低い第２クロック信号に基づいて撮像動作を実行する画像表示用撮像装置と、
画像記録用撮像装置に対し第１クロック信号を供給すると共に、画像表示用撮像装置に対し第２クロック信号を供給するクロック信号供給回路と、
撮影レンズを通過した光を反射する反射鏡と、
前記反射鏡を、撮影レンズを通過した光を画像記録用撮像装置に入射させることが可能な第１の姿勢、或いは撮影レンズを通過した光を画像表示用撮像装置に入射させることが可能な第２の姿勢の何れかの姿勢に設定する反射鏡駆動装置と、
画像表示用撮像装置によって撮影された画像を画像表示装置に表示すると共に、画像記録用撮像装置によって撮影された画像を記録媒体に記録する画像処理回路と、
前記クロック信号供給回路及び前記反射鏡駆動装置の動作を制御する制御回路
とを具え、該制御回路は、画像記録操作がないときには、前記反射鏡を第２の姿勢に設定すべき旨を反射鏡駆動装置に指令すると共に画像表示用撮像装置に対し第２クロック信号を供給すべき旨をクロック信号供給回路に指令し、画像記録操作があったときには、前記反射鏡を第１の姿勢に設定すべき旨を反射鏡駆動装置に指令すると共に画像記録用撮像装置に対し第１クロック信号を供給すべき旨をクロック信号供給回路に指令することを特徴とするカメラ。
【請求項２】
前記画像記録用撮像装置は、撮影レンズの光軸上に配置され、前記第１の姿勢は、撮影レンズを通過した光が画像記録用撮像装置に至る光路から外れた位置に反射鏡が位置することとなる姿勢であり、前記第２の姿勢は、撮影レンズと画像記録用撮像装置の間に反射鏡の反射面が位置することとなる姿勢であって、撮影レンズを通過した光を反射して画像表示用撮像装置に入射させることが可能な姿勢である請求項１に記載のカメラ。
【請求項３】
画像表示装置を具え、ユーザによる画像記録操作がないときには撮影によって得られた画像を画像表示装置に表示し、ユーザによる画像記録操作があったときには撮影によって得られた画像を記録媒体に記録するカメラにおいて、
撮影レンズと、
第１クロック信号に基づいて撮像動作を実行する画像記録用撮像装置と、
画像記録用撮像装置よりも画素数が少なく、前記第１クロック信号よりも周波数の低い第２クロック信号に基づいて撮像動作を実行する画像表示用撮像装置と、
画像記録用撮像装置に第１クロック信号を供給する一方、画像表示用撮像装置に第２クロック信号を供給するクロック信号供給回路と、
撮影レンズを通過した光を分光して、一部の光を画像記録用撮像装置に入射させると共に、他の一部の光を画像表示用撮像装置に入射させる分光装置と、
画像表示用撮像装置によって撮影された画像を画像表示装置に表示すると共に、画像記録用撮像装置によって撮影された画像を記録媒体に記録する画像処理回路と、
前記クロック信号供給回路の動作を制御する制御回路
とを具え、該制御回路は、画像記録操作がないときには、画像表示用撮像装置に対し第２クロック信号を供給すべき旨をクロック信号供給回路に指令し、画像記録操作があったときには、画像記録用撮像装置に対し第１クロック信号を供給すべき旨をクロック信号供給回路に指令することを特徴とするカメラ。
【請求項４】
前記画像記録用撮像装置は、撮影レンズの光軸上に配置され、前記分光装置は、撮影レンズを通過した光が画像記録用撮像装置に至る光路中に介在し、撮影レンズを通過した光の一部を透過して画像記録用撮像装置に入射させると共に、他の一部の光を反射して画像表示用撮像装置に入射させる請求項３に記載のカメラ。
【請求項５】
画像表示装置を具え、ユーザによる画像記録操作がないときには撮影によって得られた画像を画像表示装置に表示し、ユーザによる画像記録操作があったときには撮影によって得られた画像を記録媒体に記録するカメラにおいて、
撮影レンズと、
第１クロック信号に基づいて撮像動作を実行する画像記録用撮像装置と、
画像記録用撮像装置よりも画素数が少なく、前記第１クロック信号よりも周波数の低い第２クロック信号に基づいて撮像動作を実行する画像表示用撮像装置と、
前記画像表示用撮像装置を、撮影レンズを通過した光が画像記録用撮像装置に入射することとなる第１の姿勢、或いは撮影レンズを通過した光が画像表示用撮像装置に入射することとなる第２の姿勢の何れかの姿勢に設定する駆動装置と、
画像記録用撮像装置に第１クロック信号を供給する一方、画像表示用撮像装置に第２クロック信号を供給するクロック信号供給回路と、
画像表示用撮像装置によって撮影された画像を画像表示装置に表示すると共に、画像記録用撮像装置によって撮影された画像を記録媒体に記録する画像処理回路と、
前記クロック信号供給回路及び前記駆動装置の動作を制御する制御回路
とを具え、該制御回路は、画像記録操作がないときには、画像表示用撮像装置を第２の姿勢に設定すべき旨を駆動装置に指令すると共に画像表示用撮像装置に対し第２クロック信号を供給すべき旨をクロック信号供給回路に指令し、画像記録操作があったときには、画像表示用撮像装置を第１の姿勢に設定すべき旨を駆動装置に指令すると共に画像記録用撮像装置に対し第１クロック信号を供給すべき旨をクロック信号供給回路に指令することを特徴とするカメラ。
【請求項６】
前記画像記録用撮像装置は、撮影レンズの光軸上に配置され、前記第１の姿勢は、撮影レンズを通過した光が画像記録用撮像装置に至る光路から外れた位置に画像表示用撮像装置が位置することとなる姿勢であり、前記第２の姿勢は、撮影レンズと画像記録用撮像装置の間に画像表示用撮像装置が位置することとなる姿勢である請求項５に記載のカメラ。
【発明の詳細な説明】
【技術分野】
【０００１】
本発明は、ＣＣＤ(固体撮像素子)等の撮像装置を具えたカメラに関するものである。
【背景技術】
【０００２】
近年、ＣＣＤ等の撮像装置によって撮影した画像をデジタルデータとして記録媒体に記録することが可能なデジタルカメラが普及している。
この種のデジタルカメラは、撮像装置によって撮影した画像を記録媒体に記録する記録モードの設定が可能となっており、記録モードでは、撮像装置によって撮影された画像(スルー画像)がリアルタイムでＬＣＤ(液晶ディスプレイ)等の画像表示装置に表示される。そして、ユーザが、画像表示装置に表示されている画像を参照してカメラの撮影方向及び位置を所望の方向及び位置に設定した後、シャッターボタンを押下すると、撮像装置から得られる画像データが、デジタルデータに変換された後、周知の圧縮方式により圧縮されて記録媒体に記録される。
【０００３】
尚、自動フォーカス制御や自動ホワイトバランス制御に用いられるミラーを具えたカメラが提案されている(特許文献１〜３)。
【特許文献１】特開平８−５９００号公報
【特許文献２】特開平８−２２０４１７号公報
【特許文献３】特開２００２−２９０８２６号公報
【発明の開示】
【発明が解決しようとする課題】
【０００４】
しかしながら、従来のデジタルカメラにおいては、消費電力が大きい問題があった。
本発明の目的は、従来のカメラに比べて消費電力の小さいカメラを提供することである。
【課題を解決するための手段】
【０００５】
そこで、本発明者らは、消費電力の大きい原因を次のように究明した。
即ち、デジタルカメラは、ＣＣＤにクロック信号を供給するタイミングジェネレータ回路を具えており、ＣＣＤは、タイミングジェネレータ回路から供給されるクロック信号に基づいて、複数の画素に蓄積された電荷を出力する動作を実行する。近年、デジタルカメラにおいてはＣＣＤが高画素化しており、例えば８００万画素のＣＣＤがデジタルカメラに搭載される。この様に高画素のＣＣＤが搭載されたデジタルカメラにおいては、タイミングジェネレータ回路によって周波数の高いクロック信号が生成されてＣＣＤに供給され、この周波数の高いクロック信号の生成動作に大きな電力が消費されるのである。
一方、デジタルカメラに搭載されるＬＣＤの画素数はＣＣＤの画素数に比べて少なく、ＣＣＤによって撮影された高画素の画像からＬＣＤの画素数に応じた低画素の画像を作成してＬＣＤに表示することとしている。従って、ＬＣＤに表示する低画素の画像を得るために高画素のＣＣＤに高い周波数のクロック信号を生成して供給することは、無駄な電力を消費していることになる。
そこで、本発明者らは、記録媒体に記録するための画像を撮影する高画素の撮像装置とは別に、ＬＣＤに表示するための画像を撮影する低画素の撮像装置をカメラ本体に配備することに想到し、本発明の完成に至った。
【０００６】
本発明に係る第１のカメラは、画像表示装置を具え、ユーザによる画像記録操作がないときには撮影によって得られた画像を画像表示装置に表示し、ユーザによる画像記録操作があったときには撮影によって得られた画像を記録媒体に記録するものであって、
撮影レンズと、
第１クロック信号に基づいて撮像動作を実行する画像記録用撮像装置と、
画像記録用撮像装置よりも画素数が少なく、前記第１クロック信号よりも周波数の低い第２クロック信号に基づいて撮像動作を実行する画像表示用撮像装置と、
画像記録用撮像装置に対し第１クロック信号を供給すると共に、画像表示用撮像装置に対し第２クロック信号を供給するクロック信号供給回路と、
撮影レンズを通過した光を反射する反射鏡と、
前記反射鏡を、撮影レンズを通過した光を画像記録用撮像装置に入射させることが可能な第１の姿勢、或いは撮影レンズを通過した光を画像表示用撮像装置に入射させることが可能な第２の姿勢の何れかの姿勢に設定する反射鏡駆動装置と、
画像表示用撮像装置によって撮影された画像を画像表示装置に表示すると共に、画像記録用撮像装置によって撮影された画像を記録媒体に記録する画像処理回路と、
前記クロック信号供給回路及び前記反射鏡駆動装置の動作を制御する制御回路
とを具えている。そして、該制御回路は、画像記録操作がないときには、前記反射鏡を第２の姿勢に設定すべき旨を反射鏡駆動装置に指令すると共に画像表示用撮像装置に対し第２クロック信号を供給すべき旨をクロック信号供給回路に指令し、画像記録操作があったときには、前記反射鏡を第１の姿勢に設定すべき旨を反射鏡駆動装置に指令すると共に画像記録用撮像装置に対し第１クロック信号を供給すべき旨をクロック信号供給回路に指令する。
【０００７】
上記本発明に係る第１のカメラにおいては、画像記録用撮像装置として、例えば従来のデジタルカメラと同じ８００万画素程度の高画素の撮像装置が採用され、画像表示用撮像装置として、画像表示装置の画素数に応じた例えば３０万画素程度の低画素の撮像装置が採用される。
上記カメラにおいては、ユーザによる画像記録操作がないときには、反射鏡が第２の姿勢に設定されて、撮影レンズを通過した光が画像表示用撮像装置に入射する。又、クロック信号供給回路から画像表示用撮像装置に第２クロック信号が供給されて画像表示用撮像装置の撮像動作が実行され、該撮像装置によって撮影された画像が画像表示装置に表示される。
これに対し、ユーザによる画像記録操作があったときには、反射鏡が第１の姿勢に設定されて、撮影レンズを通過した光が画像記録用撮像装置に入射する。又、クロック信号供給回路から画像記録用撮像装置に第１クロック信号が供給されて画像記録用撮像装置の撮像動作が実行され、該撮像装置によって撮影された画像が記録媒体に記録される。
上述の如く、ユーザによる画像記録操作がないときには、周波数の低い第２クロック信号を低画素の画像表示用撮像装置に供給することによって、画像記録操作がないときにも周波数の高いクロック信号を高画素の撮像装置に供給していた従来のカメラに比べて、無駄な消費電力を減少させることが出来る。
【０００８】
具体的には、前記画像記録用撮像装置は、撮影レンズの光軸上に配置され、前記第１の姿勢は、撮影レンズを通過した光が画像記録用撮像装置に至る光路から外れた位置に反射鏡が位置することとなる姿勢であり、前記第２の姿勢は、撮影レンズと画像記録用撮像装置の間に反射鏡の反射面が位置することとなる姿勢であって、撮影レンズを通過した光を反射して画像表示用撮像装置に入射させることが可能な姿勢である。
【０００９】
上記具体的構成においては、ユーザによる画像記録操作がないときには、反射鏡は第２の姿勢に設定されて、撮影レンズを通過した光は、反射鏡の反射面にて反射して画像表示用撮像装置に入射することになる。これに対し、ユーザによる画像記録操作があったときには、反射鏡は第１の姿勢に設定されて、撮影レンズを通過した光は、反射鏡によって進路を妨げられることなく画像記録用撮像装置に入射することになる。
【００１０】
本発明に係る第２のカメラは、画像表示装置を具え、ユーザによる画像記録操作がないときには撮影によって得られた画像を画像表示装置に表示し、ユーザによる画像記録操作があったときには撮影によって得られた画像を記録媒体に記録するものであって、
撮影レンズと、
第１クロック信号に基づいて撮像動作を実行する画像記録用撮像装置と、
画像記録用撮像装置よりも画素数が少なく、前記第１クロック信号よりも周波数の低い第２クロック信号に基づいて撮像動作を実行する画像表示用撮像装置と、
画像記録用撮像装置に第１クロック信号を供給する一方、画像表示用撮像装置に第２クロック信号を供給するクロック信号供給回路と、
撮影レンズを通過した光を分光して、一部の光を画像記録用撮像装置に入射させると共に、他の一部の光を画像表示用撮像装置に入射させる分光装置と、
画像表示用撮像装置によって撮影された画像を画像表示装置に表示すると共に、画像記録用撮像装置によって撮影された画像を記録媒体に記録する画像処理回路と、
前記クロック信号供給回路の動作を制御する制御回路
とを具えている。そして、該制御回路は、画像記録操作がないときには、画像表示用撮像装置に対し第２クロック信号を供給すべき旨をクロック信号供給回路に指令し、画像記録操作があったときには、画像記録用撮像装置に対し第１クロック信号を供給すべき旨をクロック信号供給回路に指令する。
【００１１】
上記本発明に係る第２のカメラにおいては、画像記録用撮像装置として、例えば従来のデジタルカメラと同じ８００万画素程度の高画素の撮像装置が採用され、画像表示用撮像装置として、例えば画像表示装置の画素数に応じた３０万画素程度の低画素の撮像装置が採用される。
上記カメラにおいては、撮影レンズを通過した光は分光装置によって分光され、一部の光は、画像記録用撮像装置に入射すると共に、他の一部の光は、画像表示用撮像装置に入射する。
ユーザによる画像記録操作がないときには、クロック信号供給回路から画像表示用撮像装置に第２クロック信号が供給されて画像表示用撮像装置の撮像動作が実行され、該撮像装置によって撮影された画像が画像表示装置に表示される。
これに対し、ユーザによる画像記録操作があったときには、クロック信号供給回路から画像記録用撮像装置に第１クロック信号が供給されて画像記録用撮像装置の撮像動作が実行され、該撮像装置によって撮影された画像が記録媒体に記録される。
上述の如く、ユーザによる画像記録操作がないときには、周波数の低い第２クロック信号を低画素の画像表示用撮像装置にを供給することによって、画像記録操作がないときにも周波数の高いクロック信号を高画素の撮像装置に供給していた従来のカメラに比べて、無駄な消費電力を減少させることが出来る。
【００１２】
具体的には、前記画像記録用撮像装置は、撮影レンズの光軸上に配置され、前記分光装置は、撮影レンズを通過した光が画像記録用撮像装置に至る光路中に介在し、撮影レンズを通過した光の一部を透過して画像記録用撮像装置に入射させると共に、他の一部の光を反射して画像表示用撮像装置に入射させる。
【００１３】
本発明に係る第３のカメラは、画像表示装置を具え、ユーザによる画像記録操作がないときには撮影によって得られた画像を画像表示装置に表示し、ユーザによる画像記録操作があったときには撮影によって得られた画像を記録媒体に記録するものであって、
撮影レンズと、
第１クロック信号に基づいて撮像動作を実行する画像記録用撮像装置と、
画像記録用撮像装置よりも画素数が少なく、前記第１クロック信号よりも周波数の低い第２クロック信号に基づいて撮像動作を実行する画像表示用撮像装置と、
前記画像表示用撮像装置を、撮影レンズを通過した光が画像記録用撮像装置に入射することとなる第１の姿勢、或いは撮影レンズを通過した光が画像表示用撮像装置に入射することとなる第２の姿勢の何れかの姿勢に設定する駆動装置と、
画像記録用撮像装置に第１クロック信号を供給する一方、画像表示用撮像装置に第２クロック信号を供給するクロック信号供給回路と、
画像表示用撮像装置によって撮影された画像を画像表示装置に表示すると共に、画像記録用撮像装置によって撮影された画像を記録媒体に記録する画像処理回路と、
前記クロック信号供給回路及び前記駆動装置の動作を制御する制御回路
とを具えている。そして、該制御回路は、画像記録操作がないときには、画像表示用撮像装置を第２の姿勢に設定すべき旨を駆動装置に指令すると共に画像表示用撮像装置に対し第２クロック信号を供給すべき旨をクロック信号供給回路に指令し、画像記録操作があったときには、画像表示用撮像装置を第１の姿勢に設定すべき旨を駆動装置に指令すると共に画像記録用撮像装置に対し第１クロック信号を供給すべき旨をクロック信号供給回路に指令する。
【００１４】
上記本発明に係る第３のカメラにおいては、画像記録用撮像装置として、例えば従来のデジタルカメラと同じ８００万画素程度の高画素の撮像装置が採用され、画像表示用撮像装置として、例えば画像表示装置の画素数に応じた３０万画素程度の低画素の撮像装置が採用される。
上記カメラにおいては、ユーザによる画像記録操作がないときには、画像表示用撮像装置が第２の姿勢に設定されて、撮影レンズを通過した光が画像表示用撮像装置に入射する。又、クロック信号供給回路から画像表示用撮像装置に第２クロック信号が供給されて画像表示用撮像装置の撮像動作が実行され、該撮像装置によって撮影された画像が画像表示装置に表示される。
これに対し、ユーザによる画像記録操作があったときには、画像表示用撮像装置が第１の姿勢に設定されて、撮影レンズを通過した光が画像記録用撮像装置に入射する。又、クロック信号供給回路から画像記録用撮像装置に第１クロック信号が供給されて画像記録用撮像装置の撮像動作が実行され、該撮像装置によって撮影された画像が記録媒体に記録される。
上述の如く、ユーザによる画像記録操作がないときには、周波数の低い第２クロック信号を低画素の画像表示用撮像装置に供給することによって、画像記録操作がないときにも周波数の高いクロック信号を高画素の撮像装置に供給していた従来のカメラに比べて、無駄な消費電力を減少させることが出来る。
【００１５】
具体的には、前記画像記録用撮像装置は、撮影レンズの光軸上に配置され、前記第１の姿勢は、撮影レンズを通過した光が画像記録用撮像装置に至る光路から外れた位置に画像表示用撮像装置が位置することとなる姿勢であり、前記第２の姿勢は、撮影レンズと画像記録用撮像装置の間に画像表示用撮像装置が位置することとなる姿勢である。
【００１６】
上記具体的構成においては、ユーザによる画像記録操作がないときには、画像表示用撮像装置は第２の姿勢に設定されて、撮影レンズを通過した光は、画像表示用撮像装置に入射することになる。これに対し、ユーザによる画像記録操作があったときには、画像表示用撮像装置は第１の姿勢に設定されて、撮影レンズを通過した光は、画像表示用撮像装置によって進路を妨げられることなく画像記録用撮像装置に入射することになる。
【発明の効果】
【００１７】
本発明に係るカメラによれば、ユーザによる画像記録操作がないときには、周波数の低いクロック信号が低画素の画像表示用撮像装置に供給されるので、画像記録操作の有無に拘わらず常に周波数の高いクロック信号が高画素の撮像装置に供給されていた従来のカメラに比べて、消費電力を削減することが出来る。
【発明を実施するための最良の形態】
【００１８】
以下、本発明をデジタルカメラに実施した形態につき、２つの実施例に基づいて具体的に説明する。
第１実施例
図１は、本実施例のデジタルカメラ(１)の構成を表わしている。該デジタルカメラ(１)は、撮影された画像をメモリカード(２)に記録する記録モードの設定が可能であって、複数枚のレンズからなるレンズ群(10)と、メモリカード(２)に記録するための画像(記録画像)を撮影する画像記録用ＣＣＤ(11)とを具えている。該画像記録用ＣＣＤ(11)は、レンズ群(10)の光軸上に配置されている。
又、本実施例のデジタルカメラ(１)は、ＬＣＤ(13)と、記録モードにおいてＬＣＤ(13)に表示するための画像(スルー画像)を撮影する画像表示用ＣＣＤ(12)とを具えている。画像表示用ＣＣＤ(12)は、前記画像記録用ＣＣＤ(11)よりも少数の画素によって構成されており、画像記録用ＣＣＤ(11)として、例えば８００万画素の高画素のＣＣＤが採用され、画像表示用ＣＣＤ(12)として、例えばＬＣＤ(13)の画素数に応じた３０万画素の低画素のＣＣＤが採用される。
画像記録用ＣＣＤ(11)及び画像表示用ＣＣＤ(12)には、これらのＣＣＤ(11)(12)から得られる画像信号に対しＡ／Ｄ変換処理や圧縮処理等の所定の信号処理を施す信号処理回路(14)が接続されている。
上述のメモリカード(２)、ＬＣＤ(13)及び信号処理回路(14)には、ＣＰＵ(15)が接続されており、ＣＰＵ(15)によってメモリカード(２)、ＬＣＤ(13)及び信号処理回路(14)の動作が制御されている。ＣＰＵ(15)には、信号処理や画像表示処理の際に使用するメモリ(16)が接続されている。
【００１９】
又、画像記録用ＣＣＤ(11)及び画像表示用ＣＣＤ(12)には、周波数の異なる２種類の第１及び第２のクロック信号を発生させるタイミングジェネレータ(ＴＧ)回路(17)が接続されている。ＴＧ回路(17)は、前記ＣＰＵ(15)に接続されており、ＣＰＵ(15)からの制御信号に応じて、高い周波数の第１クロック信号を画像記録用ＣＣＤ(11)に供給する動作及び低い周波数の第２クロック信号を画像表示用ＣＣＤ(12)に供給する動作の何れかの動作を実行する。画像記録用ＣＣＤ(11)及び画像表示用ＣＣＤ(12)は、ＴＧ回路(17)から供給されるクロック信号に基づいて、複数の画素に蓄積された電荷を順次、信号処理回路(14)に出力する撮像動作を実行する。
【００２０】
レンズ群(10)と画像記録用ＣＣＤ(11)との間には、レンズ群(10)を通過した光を画像表示用ＣＣＤ(12)に入射させるためのミラー(18)が介在している。該ミラー(18)は、レンズ群(10)を通過した光が画像記録用ＣＣＤ(11)に至る光路から外れた位置に位置することとなる二点鎖線で示す第１の姿勢と、レンズ群(10)を通過した光を反射して画像表示用ＣＣＤ(12)に入射させることが可能な実線で示す第２の姿勢の２つの姿勢をとることが可能となっており、該ミラー(18)には、例えば電磁石によって構成されるミラー駆動回路(19)が接続されている。ミラー駆動回路(19)は、前記ＣＰＵ(15)に接続されており、ＣＰＵ(15)からの制御信号に応じて、ミラー(18)を第１姿勢及び第２姿勢の何れかの姿勢に設定する。
尚、上述の画像記録用ＣＣＤ(11)、画像表示用ＣＣＤ(12)、ＬＣＤ(13)、信号処理回路(14)、ＣＰＵ(15)、メモリ(16)、ＴＧ回路(17)及びミラー駆動回路(19)には電源回路(図示省略)が接続されている。
【００２１】
図２は、記録モードが設定されている状態でカメラ本体に電源が投入されたときに上記ＣＰＵ(15)によって実行される手続きを表わしており、カメラ本体に電源が投入されると、先ずステップＳ１にて、ミラー(18)を図１に実線で示す第２姿勢に設定する。この結果、レンズ群(10)を通過した光はミラー(18)にて反射して画像表示用ＣＣＤ(12)に入射することになる。次にステップＳ２では、画像表示用ＣＣＤ(12)に対する第２クロック信号の供給を開始させる。この結果、画像表示用ＣＣＤ(12)の撮像動作が開始されることになる。
続いてステップＳ３では、信号処理回路(14)から得られる１フレーム分のアナログ画像信号をＬＣＤ(13)に供給して、画像表示用ＣＣＤ(12)によって撮影されたスルー画像をＬＣＤ(13)に表示した後、ステップＳ４では、シャッターボタンが押下されたか否かを判断し、ノーと判断された場合にはステップＳ３に戻って、スルー画像のＬＣＤ表示を繰り返す。
【００２２】
その後、ユーザによりシャッターボタンが押下されると、ステップＳ４にてイエスと判断されてステップＳ５に移行し、ミラー(18)を図１に二点鎖線で示す第１姿勢に設定する。この結果、レンズ群(10)を通過した光はミラー(18)によって進路を妨げられることなく画像記録用ＣＣＤ(11)に入射することになる。続いてステップＳ６では、画像表示用ＣＣＤ(12)に対する第２クロック信号の供給を停止させると共に、画像記録用ＣＣＤ(11)に対する第１クロック信号の供給を開始させる。この結果、画像表示用ＣＣＤ(12)の撮像動作が停止すると共に、画像記録用ＣＣＤ(11)の撮像動作が開始されることになる。
次にステップＳ７では、信号処理回路(14)から得られる１フレーム分のアナログ画像信号をＬＣＤ(13)に供給して、画像記録用ＣＣＤ(11)によって撮影された記録画像をＬＣＤ(13)に表示すると共に、信号処理回路(14)から得られる１フレーム分のデジタル圧縮画像データをメモリカード(２)に記録する。
【００２３】
続いてステップＳ８では、シャッターボタンに対する１回の操作によって所定の複数枚の画像を連続的に撮影する連写モードが設定されているか否かを判断し、ノーと判断された場合にはステップＳ１０に移行する。
一方、連写モードが設定されている場合には、ステップＳ９に移行して、所定の複数枚の画像をメモリカード(２)に記録したか否かを判断し、ノーと判断された場合にはステップＳ７に戻って、記録画像のＬＣＤ表示及びメモリカード(２)への記録を繰り返す。その後、所定の複数枚の画像をメモリカード(２)に記録すると、ステップＳ９にてイエスと判断されてステップＳ１０に移行する。
【００２４】
ステップＳ１０では、カメラ本体の電源をオフに設定する電源オフ操作が行なわれたか否かを判断し、ノーと判断された場合にはステップＳ１に戻る一方、イエスと判断された場合にはステップＳ１１に移行し、所定の電源オフ処理を実行して、手続きを終了する。
【００２５】
本実施例のデジタルカメラの記録モードにおいては、上記手続きによって、シャッターボタンに対する操作がない状態では、周波数の低い第２クロック信号が画像表示用ＣＣＤ(12)に供給されて該ＣＣＤ(12)により撮影されたスルー画像がリアルタイムでＬＣＤ(13)に表示される。そして、シャッターボタンに対する操作があったときには、周波数の高い第１クロック信号が画像記録用ＣＣＤ(11)に供給されて該ＣＣＤ(11)により撮影された記録画像がＬＣＤ(13)に表示されると共にメモリカード(２)に記録される。
【００２６】
図３は、本発明に係るデジタルカメラにおける消費電力と１つの高画素ＣＣＤを具えた従来のデジタルカメラにおける消費電力を比較した結果を表わしている。図中の実線は、本発明に係るデジタルカメラにおいて画像表示用ＣＣＤ(12)に対する第２クロック信号の周波数を画像記録用ＣＣＤ(11)に対する第１クロック信号の１／２倍とした場合の消費電力の変化を表わしており、図中の二点鎖線は、従来のデジタルカメラにおいてＣＣＤに対するクロック信号の周波数を前記第１クロック信号と同一にした場合の消費電力の変化を表わしている。
従来のデジタルカメラにおいては、二点鎖線で示す如く、シャッターボタンに対する操作の有無に拘わらず常に一定の電力が消費される。これに対し、本発明に係るデジタルカメラにおいては、シャッターボタンに対する操作がないときには、第２クロック信号が画像表示用ＣＣＤ(12)に供給されるため、実線で示す如く、従来のデジタルカメラの略１／２の大きさの電力が消費される一方、シャッターボタンに対する操作があったときには、第１クロック信号が画像記録用ＣＣＤ(11)に供給されるため、従来のデジタルカメラと同じ大きさの電力が消費され、従来のデジタルカメラに比べて、図中に斜線で示す分だけ消費電力量が減少することになる。
【００２７】
第２実施例
図４に示す本実施例のデジタルカメラ(３)は、図１に示す第１実施例のデジタルカメラ(１)に配備されているミラー(18)及びミラー駆動回路(19)に代えて、レンズ群(10)と画像記録用ＣＣＤ(11)との間にプリズム(31)を配置したものである。
該デジタルカメラ(３)においては、レンズ群(10)を通過した光の一部がプリズム(31)を透過して画像記録用ＣＣＤ(11)に入射すると共に、他の一部の光がプリズム(31)にて反射して画像表示用ＣＣＤ(12)に入射する。
【００２８】
図５は、記録モードが設定されている状態でカメラ本体に電源が投入されたときに本実施例のＣＰＵ(30)によって実行される手続きを表わしており、カメラ本体に電源が投入されると、先ずステップＳ２１にて、画像表示用ＣＣＤ(12)に対する第２クロック信号の供給を開始させる。この結果、画像表示用ＣＣＤ(12)の撮像動作が開始される。
次にステップＳ２２では、信号処理回路(14)から得られる１フレーム分のアナログ画像信号をＬＣＤ(13)に供給して、画像表示用ＣＣＤ(12)によって撮影されたスルー画像をＬＣＤ(13)に表示した後、ステップＳ２３では、シャッターボタンが押下されたか否かを判断し、ノーと判断された場合にはステップＳ２２に戻って、スルー画像のＬＣＤ表示を繰り返す。
【００２９】
その後、ユーザによりシャッターボタンが押下されると、ステップＳ２３にてイエスと判断されてステップＳ２４に移行し、画像表示用ＣＣＤ(12)に対する第２クロック信号の供給を停止させると共に、画像記録用ＣＣＤ(11)に対する第１クロック信号の供給を開始させる。この結果、画像表示用ＣＣＤ(12)の撮像動作が停止すると共に、画像記録用ＣＣＤ(11)の撮像動作が開始される。
次にステップＳ２５では、信号処理回路(14)から得られる１フレーム分のアナログ画像信号をＬＣＤ(13)に供給して、画像記録用ＣＣＤ(11)によって撮影された記録画像をＬＣＤ(13)に表示すると共に、信号処理回路(14)から得られる１フレーム分のデジタル圧縮画像データをメモリカード(２)に記録する。
【００３０】
続いてステップＳ２７では、連写モードが設定されているか否かを判断し、ノーと判断された場合にはステップＳ２８に移行する。
一方、連写モードが設定されている場合には、ステップＳ２７に移行して、所定の複数枚の画像をメモリカード(２)に記録したか否かを判断し、ノーと判断された場合にはステップＳ２５に戻って、記録画像のＬＣＤ表示及びメモリカード(２)への記録を繰り返す。その後、所定の複数枚の画像をメモリカード(２)に記録すると、ステップＳ２７にてイエスと判断されてステップＳ２８に移行する。
【００３１】
ステップＳ２８では、カメラ本体の電源をオフに設定する電源オフ操作が行なわれたか否かを判断し、ノーと判断された場合にはステップＳ２１に戻る一方、イエスと判断された場合にはステップＳ２９に移行し、所定の電源オフ処理を実行して、手続きを終了する。
【００３２】
本実施例のデジタルカメラの記録モードにおいては、上記手続きによって、シャッターボタンに対する操作がない状態では、周波数の低い第２クロック信号が画像表示用ＣＣＤ(12)に供給されて該ＣＣＤ(12)により撮影されたスルー画像がリアルタイムでＬＣＤ(13)に表示される。そして、シャッターボタンに対する操作があったときには、周波数の高い第１クロック信号が画像記録用ＣＣＤ(11)に供給されて該ＣＣＤ(11)により撮影された記録画像がＬＣＤ(13)に表示されると共にメモリカード(２)に記録される。
【００３３】
本実施例のデジタルカメラにおいては、ユーザによるシャッターボタン押下操作がないときには、周波数の低い第２クロック信号が画像表示用ＣＣＤ(12)に供給されるので、画像記録操作の有無に拘わらず常に周波数の高いクロック信号がＣＣＤに供給されていた従来のカメラに比べて、消費電力を削減することが出来る。
【００３４】
尚、本発明の各部構成は上記実施の形態に限らず、特許請求の範囲に記載の技術的範囲内で種々の変形が可能である。
例えば、図１に示す第１実施例のデジタルカメラ(１)に配備されているミラー(18)及びミラー駆動回路(19)に代えて、図６に示す如く、画像表示用ＣＣＤ(12)を、レンズ群(10)を通過した光が画像記録用ＣＣＤ(11)に至る光路から外れた位置に位置することとなる二点鎖線で示す第１の姿勢、或いはレンズ群(10)と画像記録用ＣＣＤ(11)の間に位置することとなる実線で示す第２の姿勢の何れかの姿勢に設定するＣＣＤ駆動回路(41)を配備することも可能である。図６に示すデジタルカメラにおいては、シャッターボタンに対する操作がない状態では、画像表示用ＣＣＤ(12)は実線で示す第２姿勢に設定されて、レンズ群(10)を通過した光は画像表示用ＣＣＤ(12)に入射し、シャッターボタンに対する操作があったときに、画像表示用ＣＣＤ(12)は二点鎖線で示す第１姿勢に設定されて、レンズ群(10)を通過した光は画像記録用ＣＣＤ(12)に入射する。
【図面の簡単な説明】
【００３５】
【図１】第１実施例のデジタルカメラの構成を表わすブロック図である。
【図２】上記デジタルカメラの記録モードにおいて実行される手続きを表わしている。
【図３】本発明に係るデジタルカメラにおける消費電力と従来のデジタルカメラにおける消費電力を比較した結果を表わすグラフである。
【図４】第２実施例のデジタルカメラの構成を表わすブロック図である。
【図５】上記デジタルカメラの記録モードにおいて実行される手続きを表わしている。
【図６】第１及び第２実施例以外の他の実施例のデジタルカメラの構成を表わすブロック図である。
【符号の説明】
【００３６】
(１)  デジタルカメラ
(10)  レンズ群
(11)  画像記録用ＣＣＤ
(12)  画像表示用ＣＣＤ
(13)  ＬＣＤ
(14)  信号処理回路
(15)  ＣＰＵ
(16)  メモリ
(17)  ＴＧ回路
(18)  ミラー
(19)  ミラー駆動回路
(２)  メモリカード
【図１】
2005167944.tif 000003
【図２】
2005167944.tif 000004
【図３】
2005167944.tif 000005
【図４】
2005167944.tif 000006
【図５】
2005167944.tif 000007
【図６】
2005167944.tif 000008